Podtech/llm-jp-corpus-v4-ja_patent huggingface dataset:
(57)【要約】【課題】繊維素材（合繊織物・セルロース織物）に抗菌・消臭力の強い物質を付着させ抗菌・消臭のある繊維製品の製作。【解決手段】銀ナノ粒子水溶液をカチオン化された繊維表面に吸着させ抗菌・消臭性のある繊維織物を製造する。【選択図】図１
2013108203.tif 000002
【特許請求の範囲】
【請求項１】
銀ナノ粒子水溶液を繊維素材にカチオン化剤を用いてあらゆる濃度で吸着させる方法。
【請求項２】
繊維素材をシオンテック社のカチオン化剤シオールＣＸにてアルカリ浴または中性浴でカチオン化する方法
【請求項３】
カチオン化は浸染または捺染法で染色機または捺染機でアルカリ存在下・８０℃前後で行う方法。
【請求項４】
カチオン化された繊維素材を染色機または捺染機であらゆる濃度の銀ナノ粒子を吸着させる方法。
【請求項５】
銀ナノ粒子の吸着後アクリル系接着樹脂にて落下防止処理する方法。
【発明の詳細な説明】
【技術分野】
【０００１】従来より証明されている抗菌・消臭作用のある銀を繊維に吸着させる方法はいくつか見られますが繊維をカチオン化剤によりカチオン化して銀粒子を繊維に吸着させる事を可能にする方法である。【０００２】銀粒子を銀ナノ粒子水溶液（１０００ｐｐｍ）にして繊維素材をカチオン化剤によりカチオン化して繊維素材（合繊織物・セルロース織物など）に銀ナノ粒子を吸着させる。【０００３】繊維素材に吸着された銀ナノ粒子を洗濯しても脱落しないようにするものである。また吸着後の黄変等の変色も防止する方法である。
【背景技術】
【０００４】銀は従来より抗菌力があり皿・スプーン・箸等の食器に使われている。また銀はバクテリア・ウィルス・カビ等の単細胞動物には強い殺菌効果を発揮する。しかし多細胞動物である人間や動植物には全く無害である。【０００５】当銀ナノ粒子水溶液は他の抗菌・消臭剤とは違い抗菌・消臭力の強さもさることながら，その効力が年単位で持続する。【０００６】銀ナノ粒子はコアシェル型ナノ構造体の為，その表面積は従来に比べ非常に大きくなるため効果も絶大である。【０００７】銀ナノ粒子水溶液はナノレベルのコアシェルに更に小さなナノ銀が付着しているから実際の銀の使用料が極端に少なくすむ為低コストになる。【０００８】安全性については他の抗菌材とは違い人体に無害でナノによる危険性も粉体でなく液体の為安全性に優れている。【０００９】銀ナノ粒子は基本的に水の中ではマイナスの荷電になる。繊維素材のセルロース繊維はマイナスにポリエステルなどの合成繊維はノニイオンの性格を持ちタンパク繊維はカチオンの性格を持つ為イオン結合により水中で吸着される。【０００１０】セルロース繊維・合成繊維はシオンテック社発明のカチオン化剤吸着剤を使用し繊維表面に炭素Ｃを出しカチオン化する。その繊維を染色機のなかにいれて銀ナノ粒子を投入しイオン結合によりナノ銀が繊維に吸着される。カチオン化は液流染色機に繊維素材を入れ８０℃・３０分ＰＨ１１〜１２のアルカリ性浴中で行います。処理後水洗して銀ナノ水溶液（１０００ＰＰＭ）を投入するとイオン結合で繊維表面に吸着する。【０００１１】洗濯時など汚れた水の中では銀ナノ粒子がアニオンの表面電荷にならなく落下してくるもが出る。その防止として分子が小さく繊維の炭素に吸着する窒素をもった接着樹脂によりイオン化に耐えられる構造を作り防止する。
【先行技術文献】
【特許文献】
【０００１２】
【特許文献１】特開２００９−２７０２０８  繊維用抗菌防臭加工剤並びに当該加工剤で加工処理されていない繊維製品。分子量２０〜２０００のシルクプロテインに粒子径２００ｎｍ以下の銀ナノコロイドを担持せしめ更にアミノシリコンからなる繊維用加工剤で木綿を３０％以上含有する繊維類を１０〜４０℃にて液中，浸漬処理する。
【特許文献２】特開２０１０−１１１６５２  抗菌性組成物および抗菌性織物の加工方法。銀ナノ粒子，保護剤（ＭＣｌ・ＮＢｒ・ＭＩ・ＭＳ２０３・ＮＨ４０Ｈ）による抗菌性織物の加工方法。
【発明の概要】
【発明が解決しようとする課題】
【０００１３】繊維素材に銀粒子を吸着させる方法はいくつか見られるが脱落性・黄変等の色変化そしてコスト的な要因（作業性）問題がある。またあらゆる濃度の銀粒子を吸着させ抗菌・消臭繊維素材の製品を製作可能にする。
【課題を解決するための手段】
【０００１４】銀粒子をナノ銀水溶液（コア‐シェル型５０〜８０ｎｍ粒子）１０００ｐｐｍに希釈した水溶液を使用する。【０００１５】ナノ銀水溶液はマイナスに荷電しているので繊維素材をカチオン化する為にシオンテック社のカチオン化剤を使用する。カチオン化剤は第四級アンモニウム塩・ジメチルアルデヒドアルホナート・硫酸アルミニュウム・カチオンでんぷん・水酸化カリウム・ニカワタイプ・ポリアクリルレート・たんぱく質からなる。【０００１６】カチオン化は繊維を改良し座席数を増やす技術であるが繊維の構造や成分が変わるのではなく繊維に溝をつけその上にのりを付けると考えた方が分かりやすい。第四級アンモニュウム塩とタンパク質がアルカリ反応で繊維に固着しイオン吸着ではずれにくくなる。繊維がプラスイオンであっても電子の数で吸着固定される物で透明ののりが付いていると考える。
カチオン化剤は合成繊維・セルロース繊維それぞれに適したものを使用する。
吸着量は銀ナノ粒子の濃度を変えることにより簡単に調整可能である。【０００１７】繊維に吸着された銀ナノ粒子は洗濯時などの汚い水のなかでは落下するものが出てくる。銀ナノ粒子の落下防止の為に分子の小さい繊維分子の炭素に吸着する窒素化合物のアクリル系の接着樹脂を使用する。【０００１８】銀ナノ粒子は１０００ｐｐｍ水溶液を繊維に対して２０・１０・５％の３水準で吸着させたところ約１０μｇ・５μｇ・３μｇの付着量を得ている。【０００１９】色相変化は銀ナノ粒子１０μｇ付着で僅かにみられる。６μｇ以下で色相変化は見られない。【０００２０】耐洗濯性については５μｇ付着で３０％前後の脱落がみられる。
【図面の簡単な説明】
【図１】
2013108203.tif 000003
【発明を実施するための形態】
【処理工程】
液流染色機・捺染機・色出し試験機（ミニカラー）で繊維素材を精練・カチオン化処理・銀ナノ粒子を吸着させる。
【実施例】
【セルロース繊維】
綿１００％織物を過酸化水素５ｇ／ｌ・苛性ソーダ３ｇ／ｌ・安定剤の存在下で９０℃３０分精練漂白する。その後シオールＣＨＰ１０％ＯＷＦ・苛性ソーダ５％ＯＷＦの存在下で８０℃３０分カチオン化処理する。水洗後銀ナノ水溶液（１０００ＰＰＭ）３〜１０％ＯＷＦ・浴比１：１０〜５０にて銀吸着させる。その後アクリル系樹脂で脱落防止する。
【合成繊維】
ポリエステル織物を苛性ソーダ３ｇ／ｌ・界面活性剤・キレート剤の存在下で糊抜精練し１９０℃ヒートセットする。そして分散染料で染色する。その後シオールＣＴ１０％ＯＷＦ・苛性ソーダ５％で８０℃３０分カチオン化処理して銀ナノ水溶液（１０００ＰＰＭ）３〜１０％ＯＷＦ・浴比１：１０〜５０にて銀を吸着させる。その後アクリル系樹脂で脱落防止する。
【図１】
2013108203.tif 000004
(57)【要約】【課題】脚立の各脚の設置面の傾斜が全て異なる面に対して、安定して設置できる脚立を提供する。【解決手段】４本の脚部１０の各一対は、補強のための複数の横げた部１５を有し、且つ、脚部１０の一端は、折り畳み機構２５により踏み台部２０にそれぞれ取付けられ、他端は、脚長を調節する脚長調整部３０をそれぞれ有し、脚長調整部３０の一端の脚端部４０は、ボール受け機構４６とボール４４とボール固定部４２とを有し、ボール４４はボール固定部４２に固定され、且つ、ボール受け機構４６に回転自由に嵌合され、ボール固定部４２の底面は、設置面との滑りを防止するための滑り防止部３５を有する。【選択図】      図１
2013108236.tif 000002
【特許請求の範囲】
【請求項１】
４本の脚部と、踏み台部とを有する脚立において、
前記４本の脚部の各一対は、補強のための複数の横げた部を有し、且つ、前記脚部の一端は、折り畳み機構により前記踏み台部にそれぞれ取付けられ、他端は、脚長を調節する脚長調整部をそれぞれ有し、
前記脚長調整部の一端の脚端部は、ボール受け機構とボールとボール固定部とを有し、前記ボールは前記ボール固定部に固定され、且つ、前記ボール受け機構に回転自由に嵌合され、
前記ボール固定部の底面は、設置面との滑りを防止するための滑り防止部を有することを特徴とする脚立。
【発明の詳細な説明】
【技術分野】
【０００１】
本発明は、脚立に係り、より詳しくは、脚立の各脚の設置面の傾斜が全て異なる面に対して、安定して設置できる脚立に関する。
【背景技術】
【０００２】
図２は、従来の脚立の構成図である。図２において、従来の脚立２００は、４本の脚部１０の各一対に補強のための複数の横げた部１５と、踏み台部２０とを有し、脚部１０の一端は、折り畳み機構により、踏み台部２０に取付けられ、他端は、接触面との滑りを防止するため、滑り防止部３５を有している。さらに、脚部１０の他端は、脚長を調節する脚長調整部３０を有している。
【０００３】
脚立２００は、所望の場所に設置され、踏み台部２０が所望の高さで水平となるよう、脚長調整部３０がそれぞれ調整される。脚長調整部３０は、所望の高さと水平が得られた時点で調整が完了し、固定される。
【０００４】
ところが、脚立２００が設置される場所は、滑り防止部３５との接触面が水平な場所とは限らず、それぞれの設置面がランダムな傾きを有している場合がある。この場合、いずれかの脚１０の滑り防止部３５と設置場所の設置面との傾きが２〜３度を超え、且つ、踏み台部２０上での加重バランスがその脚１０の方向に偏ると、容易に脚立２００のバランスが崩れて加重方向に倒れ込み、水平を維持することができ無くなる。
【発明の概要】
【発明が解決しようとする課題】
【０００５】
本発明は、このような問題を解決するためになされたものであり、その目的は、脚立の各脚の設置面の傾斜が全て異なる面に対して、安定して設置できる脚立を提供する。
【課題を解決するための手段】
【０００６】
本発明の脚立は、４本の脚部と、踏み台部とを有する脚立において、４本の脚部の各一対は、補強のための複数の横げた部を有し、且つ、脚部の一端は、折り畳み機構により踏み台部にそれぞれ取付けられ、他端は、脚長を調節する脚長調整部をそれぞれ有し、脚長調整部の一端の脚端部は、ボール受け機構とボールとボール固定部とを有し、ボールはボール固定部に固定され、且つ、ボール受け機構に回転自由に嵌合され、ボール固定部の底面は、設置面との滑りを防止するための滑り防止部を有することを特徴とする。
【発明の効果】
【０００７】
本発明によれば、脚立の各脚の設置面の傾斜が全て異なる面に対して、安定して設置できる脚立を提供することができる。
【図面の簡単な説明】
【０００８】
【図１】本発明による脚立の構成図
【図２】従来の脚立の構成図
【発明を実施するための形態】
【実施例】
【０００９】
本発明の実施の形態について、図を用いて説明する。図１は、本発明による脚立の構成図である。図１において、本発明による脚立１００は、４本の脚部１０の各一対は、補強のための複数の横げた部１５を有し、且つ、脚部１０の一端は、折り畳み機構２５により踏み台部２０にそれぞれ取付けられ、他端は、脚長を調節する脚長調整部３０をそれぞれ有している。
【００１０】
脚長調整部３０の一端の脚端部４０は、ボール受け機構４６とボール４４とボール固定部４２とを有し、ボール４４はボール固定部４２に固定され、且つ、ボール受け機構４６に回転自由に嵌合されている。ボール固定部４２の底面は、設置面との滑りを防止するための滑り防止部３５を有している。
【００１１】
折り畳まれた脚立１００の４本の脚部１０は、所望の設置場所において、折り畳み機構２５が解除され、踏み台部２０が所望の高さで水平となるよう、脚長調整部３０がそれぞれ調整される。脚長調整部３０所望の高さと水平が得られた時点で、調整が完了し、固定される。
【００１２】
このとき、ボール受け機構４６に嵌合されたボール４４が自由に回転するため、ボール固定部４２の底面をそれぞれ設置面に平行に設置することができる。このため、踏み台部２０上での加重バランスが脚１０のいずれかの方向に偏るとしても、脚立１００のバランスが崩れて加重方向に倒れ込み、水平を維持することができなくなることは無い。また、ボール固定部４２の底面の滑り防止部３５が設置面を安定に捉え、脚立１００の横滑りが防止される。
【００１３】
以上説明したように本発明によれば、ボール受け機構に嵌合されたボールが自由に回転し、ボール固定部の底面はそれぞれ設置面に平行に設置されるため、脚立の各脚の設置面の傾斜が全て異なる面に対して、常に安定して設置できる脚立を提供することができる。
【符号の説明】
【００１４】
１０  脚部
１５  横げた部
２０  踏み台部
２５  折り畳み機構
３０  脚長調整部
３５  滑り防止部
４０  脚端部
４２  ボール固定部
４４  ボール
４６  ボール受け機構
１００  本発明の脚立
２００  従来の脚立
【図１】
2013108236.tif 000003
【図２】
2013108236.tif 000004
(57)【要約】      （修正有）【課題】マグネットスタンドに対して測定器具を柔軟に装着可能なスタンドベースを提供する。【解決手段】マグネットスタンドのスタンドベース１０であって、直方体形状のベース本体１２と、該ベース本体１２の前面１２ａに配設され該ベース本体１２の底面に作用する磁力をＯＮ／ＯＦＦするコック１４と、測定器具を装着するアームの雄ねじが螺合する該ベース本体１２の上面１２ｂに形成された上面ねじ穴１６と、該アームの雄ねじが螺合する該ベース本体１２の側面１２ｃに形成された側面ねじ穴１８と、を具備した。【選択図】図１
2013108823.tif 000002
【特許請求の範囲】
【請求項１】
マグネットスタンドのスタンドベースであって、
直方体形状のベース本体と、
該ベース本体の前面に配設され該ベース本体の底面に作用する磁力をＯＮ／ＯＦＦするコックと、
測定器具を装着するアームの雄ねじが螺合する該ベース本体の上面に形成された上面ねじ穴と、
該アームの雄ねじが螺合する該ベース本体の側面に形成された側面ねじ穴と、
を具備したことを特徴とするマグネットスタンドのスタンドベース。
【発明の詳細な説明】
【技術分野】
【０００１】
本発明は、測定器具を任意の位置に固定するマグネットスタンドのスタンドベースに関する。
【背景技術】
【０００２】
例えば、ある装置に実装された機械加工品の基準面に対する平行状態又は直角等を検査するために例えばダイヤルゲージ等の測定器具を任意の位置に固定するためにマグネットスタンドが使用される。
【０００３】
マグネットスタンドは、スタンドベース（マグネットベース）と、スタンドベースの上面に形成されたねじ穴に螺合される第１アームと、この第１アームに関節部材を介して上下動可能且つ傾斜可能に結合された第２アームとから構成され、第２アームの一端部に関節部材を介してダイヤルゲージ、マイクロメーター等の測定器具を取り付けて任意の姿勢に固定するようになっている（例えば、特開平７−３１１００５号公報参照）。
【０００４】
マグネットスタンドのスタンドベースは、直方体形状のベース本体内に永久磁石を収容し、ベース本体の前面に設けたコックを回転することにより、ベース本体の底面に作用する磁力をＯＮ／ＯＦＦできるようになっている。ベース本体の上面には雄ねじを有する第１アームを垂直に装着するための上面ねじが形成されている。
【０００５】
マグネットスタンドを使用してダイヤルゲージ、マイクロメーター等の測定器具で測定対象物を測定する場合には、関節部材を折り曲げて第１アームに対して第２アームの位置及び角度を調整し、測定に都合の良い状態にして測定する。
【先行技術文献】
【特許文献】
【０００６】
【特許文献１】特開平７−３１１００５号公報
【発明の概要】
【発明が解決しようとする課題】
【０００７】
しかし、従来のマグネットスタンドのスタンドベースは上面に形成されたねじ穴に第１アームを垂直に取り付ける構造のため、測定器具の装着に十分な自由度がなく、必ずしも都合のよい状態に測定器具を調整できないという問題がある。
【０００８】
本発明はこのような点に鑑みてなされたものであり、その目的とするところは、マグネットスタンドに対して測定器具を十分な自由度をもって柔軟に装着可能なマグネットスタンドのスタンドベースを提供することである。
【課題を解決するための手段】
【０００９】
本発明によると、マグネットスタンドのスタンドベースであって、直方体形状のベース本体と、該ベース本体の前面に配設され該ベース本体の底面に作用する磁力をＯＮ／ＯＦＦするコックと、測定器具を装着するアームの雄ねじが螺合する該ベース本体の上面に形成された上面ねじ穴と、該アームの雄ねじが螺合する該ベース本体の側面に形成された側面ねじ穴と、を具備したことを特徴とするマグネットスタンドのスタンドベースが提供される。
【発明の効果】
【００１０】
本発明のマグネットスタンドのスタンドベースによると、スタンドベースの上面に形成された上面ねじ穴に加えて、スタンドベースの側面に測定器具を装着するアームの雄ねじが螺合する側面ねじが形成されているため、測定器具を装着するアームを都合に合わせてスタンドベースの側面に固定することが可能になり、測定器具を都合に合わせて十分な自由度をもって柔軟にマグネットスタンドに装着することができる。
【図面の簡単な説明】
【００１１】
【図１】本発明実施形態に係るマグネットスタンドのスタンドベースの斜視図である。
【発明を実施するための形態】
【００１２】
以下、本発明の実施形態を図面を参照して詳細に説明する。図１を参照すると、スタンドベース（マグネットベース）１０の斜視図が示されている。スタンドベース１０は、直方体形状のベース本体１２を有しており、その内部には永久磁石が収容されている。
【００１３】
ベース本体１２の前面１２ａにはスタンドベース１０の底面に作用する磁力をＯＮ／ＯＦＦするコック１４が取り付けられている。コック１４を垂直位置に回転すると磁力が遮断され、水平位置に回転するとスタンドベース１０の底面に磁力が作用してスタンドベース１０をステージ又はテーブル上に磁力により固定することができる。
【００１４】
ベース本体１２の上面１２ｂには、マグネットスタンドの図示しない第１アームの雄ねじが螺合される上面ねじ穴１６が形成されている。ベース本体１２の一方の側面１２ｃにも、第１アームの雄ねじが螺合する側面ねじ穴１８が形成されている。
【００１５】
上述した実施形態のスタンドベース１０を使用して、マグネットスタンドにダイヤルゲージ、マイクロメーター等の測定器具を装着するには、まず図示しない第１アームの雄ねじを上面ねじ穴１６に螺合して第１アームをスタンドベース１０に対して垂直に固定し、更に関節部材を介して第１アームに移動可能且つ傾斜可能に第２アームを取り付ける。
【００１６】
そして、第２アームの一端部に関節部材を介してダイヤルゲージ等の測定治具を装着し、二つの関節部材を適宜に調整することにより測定器具を最適位置に調整し、測定対象物の測定を実施する。
【００１７】
ところが、測定対象物の位置によっては、上面ねじ穴１６を使用した測定器具の装着では、測定器具を必ずしも都合の良い状態に調整できない場合がある。このような場合には、上面ねじ穴１６に対して直角に形成された側面ねじ穴１８を利用する。
【００１８】
即ち、側面ねじ穴１８に第１アームの雄ねじを螺合して第１アームをスタンドベース１０が固定されたステージを平行に固定する。そして、関節部材を介して第１アームに移動可能且つ傾斜可能に第２アームを取り付け、第２アームの一端部に関節部材を介して測定器具を取り付ける。
【００１９】
これにより、上面ねじ穴１６を利用した測定器具の装着では測定器具を都合の良い状態に調整できない場合であっても、上面ねじ穴１６と直角方向に伸長する側面ねじ穴１８を利用して測定器具をマグネットスタンドに装着することにより、測定器具を測定に都合の良い状態に調整することが可能となる。
【符号の説明】
【００２０】
１０    スタンドベース
１２    ベース本体
１２ａ    前面
１２ｂ    上面
１２ｃ    側面
１４    コック
１６    上面ねじ穴
１８    側面ねじ穴
【図１】
2013108823.tif 000003
(57)【要約】【課題】従来から使用している注入プラグの低圧注入では、接着型が主流でありコンクリート面が乾いていることが条件となる。また、注入プラグ台座廻りの接着剤になる洩れ止めのために密実な施工が必要となり多量の接着剤を要する。また、撤去時にはコンクリート面を破損したり、サンダーがけが必要であった。他に、確実に注入材が充填されているかの確認は注入器に残った注入材の残存量で判断した。【解決手段】本製品は、テーパー型に成型し、挿入型であるためコンクリートが濡れていても取り付けることができる。また、挿入型であるため、コンクリート面の意匠を変えることを最小限とした。一方、注入量管理では、注入プラグがプラスチックにケイ酸質を混入し半透明としたため、注入材の流入状況を目視確認することができるようになった。【選択図】図３
2013108313.tif 000002
【特許請求の範囲】
【請求項１】
(1)注入プラグ本体をテーパー型とした。
(2)テーパー型プラグ(プラスチック)にガラス質を混入した。
(3)アメチューブを取り付けた。
(4)テーパー型プラグ定着時にケイ酸化アルカリ水溶液を潤滑材及び接着剤とした。
(5)注入プラグ本体を半透明とした。
【発明の詳細な説明】
【技術分野】
【０００１】
本製品は、漏水を伴うひび割れや、経時変化によるコンクリート躯体のひび割れを低粘度注入材による充填補修とするための挿入型注入プラグである。
【背景技術】
【０００２】
数多くある多種多様の注入プラグは、低圧注入では、コンクリート構造物の渇いている面に、接着剤による張付型のプラグ。高圧注入では、基本的に挿入するパイプの中間にゴム管を取り付け、ゴム管に対し縦方向の圧力を加え、縮めることによりゴム管を膨張させ、削孔穴と注入プラグとの空隙を塞いでいた。しかし、本製品注入プラグは、削孔穴にアメチューブを入れ、そのアメチューブの中にテーパー型パイプを挿入することにより空隙を塞いだ。
【先行技術文献】
【非特許文献】
【０００３】
【非特許文献１】ひび割れ部に注入プラグの台座を接着剤により固定し、注射器状の筒の中に注入液を入れ、輪ゴムの復元力により圧入する方法や、ひび割れ部に固定する台座と風船状のものを一体化させ、台座を密着固定してから風船の中に注入剤を入れ風船の復元力で注入する。そして、注入パイプの中間にゴム管を取り付け、ゴム管に対し、縦方向の圧力を加え縮めることによりゴム管を膨張させ削孔穴と注入プラグとの空隙を塞いだものがあった。
【発明の概要】
【発明が解決しようとする課題】
【０００４】
従来の注入プラグを定着するには、接着剤による接着型や挿入型では、注入パイプの中間に取り付けたゴム管にネジ式の圧力を加え、ゴム管を膨張させるもので、コンクリート躯体状況の把握と経験が必要となり、更に一箇所の定着に数分の時間を要した。
【０００５】
ひび割れ部の注入補修などでは、下方から上方への低圧注入が原則である。しかしながら、注入が確実に実施されているかどうかの確認ができなかった。
【課題を解決するための手段】
【０００６】
本製品は、注入プラグ本体をテーパー型とし、先端にアメチューブを取り付け、テーパー型注入プラグを挿入することにより、アメチューブを拡張させ密着固定した。
【０００７】
従来のプラグでは、注入が確実に実施されているかの管理が難しいとされていたが、本製品は、注入プラグが半透明であり、注入液が充填されると目視によって確認することができる。
【発明の効果】
【０００８】
テーパー型プラグにガラス質を混入し成形したことにより、アメチューブとテーパー型プラグをケイ酸化アルカリ水溶液に浸してから挿入することにより、先に潤滑剤として機能し、後に接着剤として機能する。そのため、経験がなくとも一穴のプラグ定着を数秒での取り付けが可能となった。
【図面の簡単な説明】
【０００９】
【図１】本製品の側面図である。
【図２】本製品の断面図である。
【図３】本製品の施工使用図である。
【発明を実施するための形態】
【００１０】
コンクリート躯体が濡れている場合や経年劣化の進行が進み粗密なコンクリートでも対応できる。
【実施例】
【００１１】
震災による防火水槽の注入止水では、コンクリート躯体の経年劣化が進み、コンクリートが粗密であったが、注入プラグの取り付けを容易に行う事ができた。
【産業上の利用可能性】
【００１２】
プラグをテーパー型に成型したことで、経験がなくとも容易に取り付けることができる。
【符号の説明】
【００１３】
ａ  プラスチック＋ガラス質
ｂ  アメチューブ
ｃ  軟質チューブ
ｄ  逆流防止弁ボール
ｅ  逆流防止弁補助バネ
ｆ  注入時下方から注入又は、一方向から注入する。
ｇ  プラグ色の変化により、注入状況の目視確認が可能。
【図１】
2013108313.tif 000003
【図２】
2013108313.tif 000004
【図３】
2013108313.tif 000005
(57)【要約】【課題】ブラインドの操作は試してみないと開閉や羽の方向がわからないという煩わしさがある。また、既設のブラインドの紐は環状で、表示装置を装着することが難しい。【解決手段】つるまき状で筒状の識別表示部材をブラインドの紐に装着する。識別表示部材の下部を上部より長く形成し、ブラインドの紐に対して常に一定の位置に係止する。【選択図】図１
2013108315.tif 000002
【特許請求の範囲】
【請求項１】
ブラインドの紐に開閉及び採光又は遮光等の位置を示す識別表示部材を巻きつけ装着することを特徴とするブラインド識別表示部材。
【請求項２】
識別表示部材をつる巻き形状とし、識別表示部材の下部を上部より長く形成したことを特徴とする請求項１記載のブラインド識別表示部材。
【発明の詳細な説明】
【技術分野】
【０００１】
本発明は、ブラインドの開閉及び採光と遮光等の操作方向の識別に関するものである。
【背景技術】
【０００２】
従来はブラインドの環状の紐の最下部で、開閉及び採光と遮光の操作方向を示すものはなかった。
【０００３】
先願の特許文献１のものは、色分けしたパイプやリングを紐に通し開閉の方向を示すものであるが、採光と遮光の操作方向を示すことはできない。また、ブラインドの紐は環状であるため既設のものへの装着はできない。
先願の特許文献２のものは、管軸と斜交する開口部で既設のブラインドへの装着を可能としたが、ずりおちる可能性が全くないわけではない。
【先行技術文献】
【特許文献】
【０００４】
【特許文献１】実開  昭６１−１１８９４号公報
【特許文献２】特開  ２００５−２９９３７９号公報
【発明の概要】
【発明が解決しようとする課題】
【０００５】
解決しようとする課題は、ブラインドの紐は試してみないとわからないという煩わしさである。加えて操作方向がわからず紐を引いて、紐が切れたりブラインドが壊れたりした経験をした者は操作に対する不安をいだく。本発明はその煩わしさと不安を解消するものである。
【課題を解決するための手段】
【０００６】
本発明は、つるまき状の筒状の形態を採用し、ブラインドの開閉及び採光と遮光の操作方向を手元である最下部で示すことと、既設のブラインドの環状の紐にずり落ちることのない装着を可能としたことを特徴とする。また、つるまき状の筒の下部を長くすることにより、操作方向を示す絵文字等の表示が常に操作者が認識できる位置に係止することを特徴とする。
【発明の効果】
【０００７】
ブラインドは室内環境を快適に保つために非常に有効なものである。本発明はブラインドの開閉及び採光と遮光という機能及び操作方法を手元で明確に示すことができるようにしたことで、操作時間の短縮や故障の原因を減らす効果が期待できる。また、容易な操作はブラインドの操作に伴う煩わしさや不安を楽しさに変え、太陽の移動に伴うこまめな調整を促し、より快適な室内環境を確保することができる。
【０００８】
つるまき状で筒状の識別表示部材は新設のみでなく既設のブラインドへの装着を可能にし、ずり落ちることもない。そのため、電力不足が懸念される近年ブラインドを使用している多くのオフィスでこの装置が利用されれば、大きな節電効果が期待できる。
【０００９】
本発明はつるまき状の筒状である。筒状の口径はブラインドの紐をスムーズに移動できる口径とする。Ａ側のブラインドを開ける方向には明るい色や文字を表記する。Ｂ側の閉める方向には暗い色や文字を表記する。ブラインドの羽を太陽光を室内に取り入れる角度にする場合（採光）には採光をイメージした右下矢印、太陽光を遮断する角度にする場合（遮光）には遮光をイメージした中折矢印を表記する。横移動のブラインドは二重斜線で羽の方向を表記する。
【図面の簡単な説明】
【００１０】
【図１】本発明のブラインドの構成を模式的に示す図である。
【図２】採光・遮光の方向を模式的に示す図である。
【図３】横移動のブラインドの羽の方向を模式的に示す図である。
【発明を実施するための形態】
【００１１】
ブラインドの開閉及び採光と遮光の全機能及び操作方向を一つの装置で的確に示すことを実現した。加えて既設のブラインドへの装着を可能とした。
【００１２】
本発明に係るブラインドについて図面を参照しながら説明する。
図１に示すように、ブラインドの紐４は一般的に綿ロープである。識別表示部材１はポリエチレン製であり、幅１５ｍｍ、長さ１５０ｍｍ、厚さ０．５ｍｍの帯状をブラインドの紐４をスムーズに移動できる口径のつるまき状に施した。このつるまき状の帯状の両端寄りの外表面に識別部Ａと識別部Ｂを表示した。識別部Ａには上向き矢印を表示した。この矢印の方向に紐４を引くことでブラインドが上がる。また、識別部Ｂには下向き矢印を表示した。上記と同様に下向き矢印の紐４を引くとブラインドは下がる。
この識別部２、３には、矢印のほか、異なった色で表示してもよく、また、点字などで識別してもよい。更につるまき状としては、帯状のほか紐状のものでもよい。装着方法は巻きつけを基本とするが、挿通でもよい。
【００１３】
太陽光を室内に入れるようブラインドの羽を動かす側には採光をイメージした右下矢印、太陽光が室内に入らないようにブラインドの羽を動かす場合は、遮断をイメージした中折れ矢印を表記する。
【００１４】
識別表示部材１は筒状であり両端は斜め・カーブ・垂直と多様な形が可能である。筒状の下部を上部より長くすることにより、ブラインドの紐４に対して常に一定の状態（位置）に係止できる。また、係止が必要でない場合や識別表示部材１を短くしたい場合は両端を垂直としてもよい。
【００１５】
本実施例ではブラインドと称しているが、同様の形態のシルキーや横移動のブラインドにも適用可能である。ただし、横移動のブラインドについては採光・遮光の羽の方向をイラストや図で表記する。
【００１６】
開閉及び採光と遮光の操作が別々の紐の場合は、それぞれの紐に、開閉、採光と遮光の本装置を装着する。
【００１７】
ＵＶ加工を施すことにより耐久性を高めたり、蛍光塗料を塗布することによる他用途への汎用も可能である。
【産業上の利用可能性】
【００１８】
耐久性を増すためにＵＶ加工を施した識別表示部材１は、電線など屋外での用途に適用できる。蛍光塗料を塗布した識別表示部材１は、暗い場所での用途に適用できる。例えば、劇場や非難経路のドアノブや階段の手すりの支柱、窓のない機械室の配管への装着がその例である。
【符号の説明】
【００１９】
１    識別表示部材
２    識別部Ａ
３    識別部Ｂ
４    ブラインドの紐
５    識別表示部材上部
６    識別表示部材下部
７    採光をイメージする矢印
８    遮光をイメージする矢印
９    横移動のブラインドの羽が左側手前を示すイラスト
10    横移動のブラインドの羽が右側手前を示すイラスト
【図１】
2013108315.tif 000003
【図２】
2013108315.tif 000004
【図３】
2013108315.tif 000005
(57)【要約】      （修正有）【課題】ドアを開けたときドアの外側の人の目線を遮断する目隠し仕切りを提供する。【解決手段】ドアを開けたとき目の高さに仕切りを設け、蝶番３または折れ目３を介して固定部２を設ける。【選択図】図１
2013108337.tif 000002
【特許請求の範囲】
【請求項１】
ドアを開いたとき開いたドアと壁の間の目線の高さの空間に仕切りを設け、蝶番または折れ目を介して仕切りの片側または両側に固定部を設けたことを特徴とする目隠し仕切り。
【発明の詳細な説明】
【技術分野】
【０００１】  本発明は、ドアを開いたときドアの外側から内側が見られないようにした目隠し仕切りに関するものである。
【背景技術】
【０００２】  最近  防犯意識の高まりから  玄関を開放することのなく物品の室内搬入をする入口をドアに設けたりすることがある。
【特許文献１】  特開２０１１−１２４１３
【特許文献２】  特許第３３９８４３５号公報
【発明の概要】
【発明が解決しようとする課題】
【０００３】  小包や郵便配達等の突然の訪問客のとき  寝起きのときなど顔を見られたくないときがある。本発明は、以上のような問題点を解決するためになされたものである。
【課題を解決するための手段】
【０００４】ドアを開いたとき  開いたドアと壁の間の目線の高さに仕切りを設ける。この仕切りの片側または両側に蝶番または折り目を介し固定部を設ける。以上を特徴とする目隠し仕切りである。
【発明の効果】
【０００５】本発明は  既存のドアに簡単に装着でき  訪問客と顔を合わせたくないときに使用できる。
【図面の簡単な説明】
【０００６】
【図１】ドアを開けたときの本発明装着図
【図２】ドアを閉じた時の本発明装着図
【図３】本発明の仕切りを二つ折れにした装着図
【発明を実施するための形態】
【０００７】  開いたドアと壁の間の目線の高さに仕切りを設ける。仕切りはドアの外側の人の目線を遮断する高さと大きさを要する。仕切りの下の空間で荷物等の受け渡しが可能である。仕切りは平板でも図３の様な２つ折れでも蛇腹様でも良い。ハーフミラーを装着すれば内側から外側を観察できる。仕切りの片側または両側に蝶番または折り目を介し仕切りの固定部を設け、壁またはドアに固定する。図１図２は固定部を壁側に設けたものである。固定部はネジやテープ等で固定するが固定面が金属なら磁石で固定しても良い。引き戸にも同じ様な設置で利用できる。
【実施例】
【００８】  図３では目隠し仕切り（１）を二つ折れにし蝶番（３）を介し固定部（２）を壁側に設けてある。目隠し仕切り（１）のドア側でフックと紐で軽く固定する仮固定部（４）を設けてある。ドアを閉じた位置では目隠し仕切り（１）は二つ折りになり  ドアを開けると目隠し仕切り（１）は仮固定部（４）で引かれて二つ折れは開き十分開くとドアの開きが止まる。仮固定部（４）の紐を外せば容易に目隠し仕切り（１）は壁側に移動し顔が合うこととなる。仮固定部（４）は目隠し仕切り（１）を保持するものであれば磁石等でも良い。
【符号の説明】
【符号の説明】
【００９】１  目隠し仕切り
２  固定部
３  蝶番（折れ目）
４  仮固定部
【図１】
2013108337.tif 000003
【図２】
2013108337.tif 000004
【図３】
2013108337.tif 000005
(57)【要約】      （修正有）【課題】記号化された位置情報を、ナビゲーションに付随した光学センサーで読み取り、目的地まで道案内を行う。【解決手段】観光書籍やパンフレット１等に、目的地の位置を特定したGPS情報（経度、緯度）がバーコードあるいは、QCコード５等として記号化されて記載されており、この情報を光学的センサー等で瞬時に読み込み、ナビゲーションの目的情報とし、これらの読みとった情報をもとに、ナビゲーションシステムを作動させる。【選択図】図１
2013108777.tif 000002
【特許請求の範囲】
【請求項１】
公共施設、観光地、名所、史跡、宿泊施設、飲食店、ガソリンスタンドの場所をGPS位置情報（緯度、経度）として、バーコード、あるいは、QCコードなどに記号化し、情報雑誌、情報端末画面等に記載すること
【請求項２】
車、あるいは、徒歩にてナビゲーションする際に、書籍、パンフレット等に記載された目的箇所のGPS位置情報（緯度、経度）がバーコード、あるいは、QCコード等として記号化されたものを、光センサーなどの光学的センサー等で読み取り、ナビゲーションの目的情報とし、これらの読みとった情報をもとに、ナビゲーションシステムを作動させ、目的地までの道案内を行うシステム
【発明の詳細な説明】
【技術分野】
【０００１】
車、携帯、及び、スマートフォンなどのナビゲーション関する分野の技術。
【背景技術】
【０００２】
車、携帯、あるいは、スマートフォン等のナビゲーションにおいて、目的地に行く場合、ジャンル別あるいは、電話番号、住所を設定することにより、GPSと連動したナビゲーションシステムの中に内在した地図情報をもとに、最適な道（高速を利用するあるいは、通常の道等）を選択することにより、道路案内が行われ、目的地に到達することができる。しかしながら、電話番号、住所、ジャンルなどで検索する場合、操作に時間を要するばかりでなく、面倒で煩わしい。また、管理人が居ない史跡、電話番号などがない観光地や施設などは、近辺の住所にナビを設定し、近くで当該地を尋ねるか、あるいは、近隣の観光協会に電話で尋ねること等を行うが、円滑に目的地に行くことは容易でない。更に、夜間では、このような方法で目的にいくことは不可能に近い。  不慣れなところ、更には、海外では目的地に行くことは困難である。 
（先行技術文献）
【０００３】
一般に、ナビゲーションを設定する場合、観光地、景勝地、史跡、名所などが記載されている情報誌あるいは、情報端末に明記されている住所、あるいは、電話番号をボタン操作または、タッチパネルを操作することにより、ナビゲーションに情報を入れ、道案内（ナビゲーション）を行う。
また、観光地などが記載されている情報誌には、バーコードあるいは、QCコードを携帯などの端末機で読み取ることにより、その観光地の内容を知ることができるが、GPS等の位置情報までは記載されていない。  
【発明の概要】
【発明が解決しようとする課題】
【０００４】
従来、車などでナビゲーションを使用して、観光地などの目的地に行く場合、観光書籍やパンフレットに記載された目的地の電話番号、住所などをナビゲーションの画面に沿って操作するが、この操作は手間がかかり、かつ、煩わしい。また、観光地が管理者が居ない場合や、当該地の電話番号がない場合があり、ナビゲーションの設定ができないことが多い。この場合、目的地とする場所が記載された、アナログ情報を頼りに行くが、時には、迷ったり、遠道などをしながらの走行で、目的地に到達することが容易でなかった。更に、夜間では周囲の景色がわからず、電話番号などが記載されていないところに、アナログの地図をあてにしたナビでは、目的地に到達することは、困難であった。
【課題を解決するための手段】
【０００５】
本発明は、公共施設、観光地、名所、史跡、宿泊施設、飲食店、ガソリンスタンドの場所をGPS位置情報（緯度、経度）として、バーコード、あるいは、QCコードなどに記号化し、情報雑誌等、情報端末画面に記載すること、また、車、あるいは、徒歩にてナビゲーションする際に、前述の目的とする箇所のGPS位置情報をバーコード、あるいは、QCコードなどに記号化されたものを専用の光学的センサー等で読み取り、これらの情報をもとに、通常のナビゲーションシステムを作動させ、目的地の道案内をすることにある。
【発明の効果】
【０００６】
本発明では、公共施設、観光地、名所、史跡、宿泊施設、飲食店、ガソリンスタンドなどの目的地の位置情報をバーコードあるいは、QCコード等に変換して記載し、バーコードあるいは、QCコード等、記号化された位置情報を光学的センサーなどで読み取るだけで、簡便で、短時間にナビゲーションを作動することができる。この方法ではバーコードあるいは、QCコード等の記号化された位置情報を記載し、それを光学センサーなどで読み取ることにより、電話番号が記載されていないところ、不慣れなところ、また、夜間に、さらには、特に海外において目的地とするところに容易に行くことができる。このようなニーズは国内だけでなく、海外の観光地、景勝地、名所等の施設においても同様であり、世界標準のシステムができれば、その効用は非常に大きい。
公共施設、観光地、名所、史跡、宿泊施設、飲食店、ガソリンスタンドなどの施設のGPS位置の記号化は、アナログの本だけでなく、携帯、スマートフォンなデジタル情報上の画面においても、当該の場所の位置をバーコード、QCコードなどで記号化したものを付加することにより、同様な効果は得られる。
【図面の簡単な説明】
【０００７】
【図１】本発明のＧＰＳ位置情報が入った観光地等を紹介した書籍、パンフレット例
【図２】本発明のナビゲーション例
【発明を実施するための形態】
【実施例１】
【０００８】
本発明を実施例1に基づき説明する。
観光案内の書籍１で、本発明例について説明する。当該書籍には観光地の説明２や、その建物、景色、建物内の様子を記した写真３、電話番号４などが掲載されているほか、当該地の経度、緯度などを位置を特定したGPS情報が、バーコード５あるいは、QCコード５として記載がされている。車で目的とする観光地に行く際、車６に搭載されたナビゲーション７に付随した光センサーなどの光学的センサー８で、記載されたバーコード５あるいは、QCコード５が読み込まれ、瞬時にナビゲーションの行き先情報としてナビゲーション７に取り込まれる。その後、認識した経度、緯度などの位置情報を目的地として、ナビゲーション７に内臓された、コンピュータがGPSと連動して検索し、最適な道路案内を行うことができる。
【産業上の利用可能性】
【０００９】
車のナビゲーションだけでなく、歩行用のナビや、携帯及び、スマートフォン等のナビに利用できる。
【符号の説明】
【００１０】
1：観光案内用の書籍、または、観光用パンフレット
2：観光地の内容が記載された説明文
3：観光地の写真、景色、建物及び建物内の施設等を記載したもの
4：観光地の電話番号等を記載した文書
5：観光地の所在地（緯度、経度）を示すバーコード、あるいは、QCコード類
6：車の車内、運転手から見た前面窓側の視界
7：車に搭載されたナビゲーション
8：ナビゲーションに付随した光学的センサー
【図１】
2013108777.tif 000003
【図２】
2013108777.tif 000004
(57)【要約】【課題】  バイメタル環の小さな操作力でエアバインディングを解消できるようにする。【解決手段】  内外輪弁座６，７と蓋部材５とにより形成する変圧室４内に弁ディスク１１を配置する。外輪弁座７の外周に温度変化により拡開縮閉作用を行う有端のバイメタル環１３を配置する。バイメタル環１３の一端を外輪弁座７の外周壁にビス１４で固定する。内輪弁座６と外輪弁座７の間の環状溝８と変圧室４とを連通する連通孔１５を外輪弁座７にバイメタル環１３の一端側から他端側に複数形成する。温度変化によるバイメタル環１３の拡開縮閉作用により複数の連通孔１５を低温時に他端側から順次開口し高温時に一端側から順次閉口することにより、バイメタル環１３の小さな操作力でエアバインディングを解消できる。【選択図】  図１
2013108530.tif 000002
【特許請求の範囲】
【請求項１】
内外輪弁座と蓋部材とにより形成する変圧室内に弁ディスクを配置し、外輪弁座の外周に温度変化により拡開縮閉作用を行う有端のバイメタル環を配置したものにおいて、バイメタル環の一端を外輪弁座の外周壁に固定し、内輪弁座と外輪弁座の間の環状溝と変圧室とを連通する連通孔を外輪弁座にバイメタル環の一端側から他端側に複数形成し、温度変化によるバイメタル環の拡開縮閉作用により複数の連通孔を低温時に順次開口し高温時に順次閉口することを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、バイメタルを用いてエアバインディングを解消できるようにしたものに関する。
【背景技術】
【０００２】
ディスク式スチームトラップは内外輪弁座からなる弁座面に対して離着座する弁ディスクを、弁ディスクの背後に形成した変圧室の圧力変化によって自力的に制御して開閉弁させ復水を自動的に排出するものである。このものにおいては、始動時に空気が流入してきても、蒸気の場合と同様に瞬時に閉弁してしまい、一旦閉弁すると空気は蒸気と異なり凝縮作用を起こさないので、その後は開弁できない、いわゆるエアバインディングが起こる。そこで、従来からバイメタルを用いてこのエアバインディングを解消することが行なわれている。この一例が特許文献１に示されている。これは、外輪弁座の外周に形成した円錐状の斜面部に有端のバイメタル環を配置し、斜面部と温度変化によるバイメタル環の拡開縮閉作用との協働により低温時に弁ディスクを持上げて開弁させ高温時に弁ディスクに干渉しなくなるものである。
【先行技術文献】
【特許文献】
【０００３】
【特許文献１】特公昭５０−８８０９号公報
【発明の概要】
【発明が解決しようとする課題】
【０００４】
上記従来のディスク式スチームトラップは、バイメタル環が大きな操作力を発揮しなければ弁ディスクを持上げることができないために、バイメタル環が磨耗し易く、比較的早期にエアバインディングを解消できなくなる問題がある。
【０００５】
したがって本発明が解決しようとする課題は、バイメタル環の小さな操作力でエアバインディングを解消できるようにすることである。
【課題を解決するための手段】
【０００６】
上記の課題を解決するために、本発明のディスク式スチームトラップは、内外輪弁座と蓋部材とにより形成する変圧室内に弁ディスクを配置し、外輪弁座の外周に温度変化により拡開縮閉作用を行う有端のバイメタル環を配置したものにおいて、バイメタル環の一端を外輪弁座の外周壁に固定し、内輪弁座と外輪弁座の間の環状溝と変圧室とを連通する連通孔を外輪弁座にバイメタル環の一端側から他端側に複数形成し、温度変化によるバイメタル環の拡開縮閉作用により複数の連通孔を低温時に順次開口し高温時に順次閉口することを特徴とするものである。
【発明の効果】
【０００７】
本発明によれば、バイメタル環の一端を外輪弁座の外周壁に固定し、内輪弁座と外輪弁座の間の環状溝と変圧室とを連通する連通孔を外輪弁座にバイメタル環の一端側から他端側に複数形成し、温度変化によるバイメタル環の拡開縮閉作用により複数の連通孔を低温時に順次開け高温時に順次閉じるものであるので、すなわち、バイメタル環の他端側ほど大きく変位して、複数の連通孔をバイメタル環の他端側から順次開口するとともに一端側から順次閉口するものであるので、バイメタル環は小さな変形力で複数の連通孔を順次開閉でき、バイメタル環の小さな操作力でエアバインディングを解消できるという効果を奏する。
【図面の簡単な説明】
【０００８】
【図１】本発明の実施の形態に係わるディスク式スチームトラップの断面図である。
【図２】図１の本体１のＡ−Ａ断面図である。
【発明を実施するための形態】
【０００９】
以下、本発明の実施の形態について、図１と図２を参照して説明する。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク１１を変圧室４内に配置する。入口２と変圧室４は内輪弁座６に形成した入口通路９を介して連通し、変圧室４と出口３は環状溝８の一部から形成した出口通路１０を介して連通する。
【００１０】
外輪弁座７の外周に温度変化により拡開縮閉作用を行う有端のバイメタル環１３を配置する。バイメタル環１３の一端を外輪弁座７の外周壁にビス１４で固定する。環状溝８と変圧室４とを連通する連通孔１５を外輪弁座７に形成する。連通孔１５はバイメタル環１３の一端側から他端側に複数形成する。温度変化によるバイメタル環１３の拡開縮閉作用により複数の連通孔１５を低温時にバイメタル環１３の他端側から順次開口するとともに高温時に一端側から順次閉口するので、バイメタル環１３の小さな操作力でエアバインディングを解消できる。
【００１１】
上記実施例の作動を説明する。トラップ本体が低温の場合、バイメタル環１３は拡開して複数の連通孔１３を開口し、エアバインディングを防止する。弁ディスク１１は内外輪弁座６，７から離座して開弁し、低温の復水や空気を排出する。
【００１２】
高温復水が流入すれば、バイメタル環１３は縮閉して複数の連通孔１３を閉口する。そして、蒸気が弁ディスク１１の下面を通過することにより弁ディスク１１が内外輪弁座６，７に着座して閉弁する。空気が弁ディスク１１の下面を通過すると蒸気の場合と同様に弁ディスク１１が内外輪弁座６，７に着座して閉弁するが、変圧室４の温度低下に伴ってバイメタル環１３が拡開して複数の連通孔１３を開口し、エアバインディングを解消する。
【産業上の利用可能性】
【００１３】
本発明は、蒸気配管系に発生する復水を自動的に排出するディスク式スチームトラップに利用することができる。
【符号の説明】
【００１４】
１  本体
２  入口
３  出口
４  変圧室
５  蓋部材
６  内輪弁座
７  外輪弁座
８  環状溝
９  入口通路
１０  出口通路
１１  弁ディスク
１３  バイメタル環
１４  ビス
１５  連通孔
【図１】
2013108530.tif 000003
【図２】
2013108530.tif 000004